(57)【特許請求の範囲】
【請求項１】
個人を識別する個人識別情報、および定期券の区間を含む定期券情報を対応づけて第１の記憶部に記憶させる第１の記憶制御部と、
定期券の購入者の操作を受け付ける受付部と、情報を出力する出力部と、媒体に記憶された媒体識別情報の読み取りおよび前記媒体に定期券情報の書き込みを行うリーダライタと、前記出力部および前記リーダライタを制御する発券制御部とを備える発券機と、
前記発券機及び前記第１の記憶制御部と通信可能であって、前記受付部により受け付けられた個人識別情報が前記第１の記憶部に記憶されている個人識別情報のいずれかと合致した場合に、前記合致した個人識別情報、前記リーダライタにより読み取られた媒体識別情報、および前記第１の記憶部において前記合致した個人識別情報に対応づけられている定期券情報を対応づけて第２の記憶部に記憶させる第２の記憶制御部と、を備え、
前記発券制御部は、前記定期券を発行する際に、
前記リーダライタにより媒体から読み取られた媒体識別情報が前記第２の記憶部に記憶されている媒体識別情報のいずれとも合致しない場合に、個人識別情報の入力を要求する情報を前記出力部に出力させ、前記受付部により受け付けられた個人識別情報が前記第２の記憶部に記憶された個人識別情報のいずれかと合致した場合に、前記第２の記憶部において前記合致した個人識別情報に対応づけられている定期券情報を前記媒体に書き込むように前記リーダライタを制御し、
前記リーダライタにより媒体から読み取られた媒体識別情報が前記第２の記憶部に記憶されている媒体識別情報のいずれかと合致した場合に、個人識別情報の入力を要求する情報を前記出力部に出力させずに、前記第２の記憶部において前記合致した媒体識別情報に対応づけられている定期券情報を前記媒体に書き込むように前記リーダライタを制御する、
定期券処理システム。
【請求項２】
前記第２の記憶制御部は、個人識別情報の入力を要求する情報を前記出力部が出力することに応じて前記受付部により受け付けられた個人識別情報が前記第１の記憶部に記憶された個人識別情報と合致した場合に、前記リーダライタにより読み取られた媒体識別情報を、前記合致した個人識別情報および前記第１の記憶部において前記合致した個人識別情報に対応づけられている定期券情報に対応づけて前記第２の記憶部に記憶させる、
請求項１に記載の定期券処理システム。
【請求項３】
前記第２の記憶制御部は、前記発券機により定期券が発行された場合に、定期券が購入済であることを表すステータス情報を、前記定期券が発券された際に前記リーダライタにより読み取られた媒体識別情報に対応した個人識別情報に対応づけて前記第２の記憶部に記憶させる、
請求項１または２に記載の定期券処理システム。
【請求項４】
前記発券機は、前記リーダライタにより読み取られた媒体識別情報に対応して定期券が購入済であることを表すステータス情報が前記第２の記憶部に記憶されている場合に、定期券が購入済であることを表す情報を購入者に提示する、
請求項３に記載の定期券処理システム。
【請求項５】
定期券の購入者の操作を受け付ける受付部と、
情報を出力する出力部と、
媒体に記憶された媒体識別情報の読み取りおよび前記媒体に前記定期券の区間を含む定期券情報の書き込みを行うリーダライタと、
前記定期券を発行する際に、
前記リーダライタにより媒体から読み取られた媒体識別情報が、外部装置の記憶部に記憶されている媒体識別情報のいずれとも合致しない場合に、個人識別情報の入力を要求する情報を前記出力部に出力させ、前記受付部により受け付けられた個人識別情報が前記記憶部に記憶された個人識別情報のいずれかと合致した場合に、前記記憶部において前記合致した個人識別情報に対応づけられている定期券情報を前記媒体に書き込むように前記リーダライタを制御し、
前記リーダライタにより媒体から読み取られた媒体識別情報が前記記憶部に記憶されている媒体識別情報のいずれかと合致した場合に、個人識別情報の入力を要求する情報を前記出力部に出力させずに、前記記憶部において前記合致した媒体識別情報に対応づけられている定期券情報を前記媒体に書き込むように前記リーダライタを制御する発券制御部と、
を備える発券機。
【発明の詳細な説明】
【技術分野】
【０００１】
本発明の実施形態は、定期券処理システム、および発券機に関する。
【背景技術】
【０００２】
従来、通学定期券を購入する際には、購入者が駅窓口に訪れ、駅係員が通学証明書に基づいて通学定期券を発行していた。通学定期券のように割引適用のある定期券は、購入する際に証明を必要とするため、発券機によって無制限に発券することができない。しかしながら、紙の証明書などを必要とする場合、駅係員の負担が大きくなったり、購入者が煩わしさを覚えたりする場合があった。
【先行技術文献】
【特許文献】
【０００３】
【特許文献１】特開２０１０−９７２６８号公報
【発明の概要】
【発明が解決しようとする課題】
【０００４】
本発明が解決しようとする課題は、購入する際に証明が必要であった定期券を簡便に発行することができる定期券処理システム、および発券機を提供することである。
【課題を解決するための手段】
【０００５】
実施形態の定期券処理システムは、第１の記憶制御部と、発券機と、第２の記憶制御部とを持つ。前記第１の記憶制御部は、個人を識別する個人識別情報、および定期券の区間を含む定期券情報を対応づけて第１の記憶部に記憶させる。前記発券機は、定期券の購入者の操作を受け付ける受付部と、情報を出力する出力部と、媒体に記憶された媒体識別情報の読み取りおよび前記媒体に定期券情報の書き込みを行うリーダライタと、前記出力部および前記リーダライタを制御する発券制御部とを備える。前記第２の記憶制御部は、前記発券機及び前記第１の記憶制御部と通信可能であって、前記受付部により受け付けられた個人識別情報が前記第１の記憶部に記憶されている個人識別情報のいずれかと合致した場合に、前記合致した個人識別情報、前記リーダライタにより読み取られた媒体識別情報、および前記第１の記憶部において前記合致した個人識別情報に対応づけられている定期券情報を対応づけて第２の記憶部に記憶させる。前記発券制御部は、前記定期券を発行する際に、前記リーダライタにより媒体から読み取られた媒体識別情報が前記第２の記憶部に記憶された媒体識別情報のいずれとも合致しない場合に、個人識別情報の入力を要求する情報を前記出力部に出力させ、前記受付部により受け付けられた個人識別情報が前記第２の記憶部に記憶された個人識別情報のいずれかと合致した場合に、前記第２の記憶部において前記合致した個人識別情報に対応づけられている定期券情報を前記媒体に書き込むように前記リーダライタを制御する。前記発券制御部は、前記定期券を発行する際に、前記リーダライタにより媒体から読み取られた媒体識別情報が前記第２の記憶部に記憶されている媒体識別情報のいずれかと合致した場合に、個人識別情報の入力を要求する情報を前記出力部に出力させずに、前記第２の記憶部において前記合致した媒体識別情報に対応づけられている定期券情報を前記媒体に書き込むように前記リーダライタを制御する。
【０００６】
実施形態の発券機は、受付部と、出力部と、リーダライタと、発券制御部と、を持つ。前記受付部は、定期券の購入者の操作を受け付ける。前記出力部は、情報を出力する。前記リーダライタは、媒体に記憶された媒体識別情報の読み取りおよび前記媒体に前記定期券の区間を含む定期券情報の書き込みを行う。前記発券制御部は、前記定期券を発行する際に、前記リーダライタにより媒体から読み取られた媒体識別情報が、外部装置の記憶部に記憶されている媒体識別情報のいずれとも合致しない場合に、個人識別情報の入力を要求する情報を前記出力部に出力させ、前記受付部により受け付けられた個人識別情報が前記記憶部に記憶された個人識別情報のいずれかと合致した場合に、前記記憶部において前記合致した個人識別情報に対応づけられている定期券情報を前記媒体に書き込むように前記リーダライタを制御する。前記発券制御部は、前記定期券を発行する際に、前記リーダライタにより媒体から読み取られた媒体識別情報が前記記憶部に記憶されている媒体識別情報のいずれかと合致した場合に、個人識別情報の入力を要求する情報を前記出力部に出力させずに、前記記憶部において前記合致した媒体識別情報に対応づけられている定期券情報を前記媒体に書き込むように前記リーダライタを制御する。
【図面の簡単な説明】
【０００７】
【図１】実施形態の定期券処理システム１の構成を示すブロック図。
【図２】実施形態の第１の記憶部３６に記憶される情報を示す図。
【図３】実施形態の第２の記憶部２６に記憶される情報を示す図。
【図４】実施形態におけるステータス情報を示す図。
【図５】実施形態の発券機１０の構成を示すブロック図。
【図６】実施形態の定期券処理システム１により個人番号ＰＮ等を登録する処理の流れを示す図。
【図７】実施形態の定期券処理システム１により個人番号ＰＮ等を登録する他の処理の流れを示す図。
【図８】実施形態の定期券処理システム１により定期券を発行する処理の流れを示す図。
【図９】実施形態の発券機１０により表示させる画面の遷移の一例を示す図。
【図１０】実施形態の発券機１０により表示させる画面の遷移の他の一例を示す図。
【図１１】実施形態の定期券処理システム１において定期券の発行を中止する処理の流れを示すフローチャート。
【図１２】実施形態の発券機１０により表示させる画面の遷移の他の一例を示す図。
【発明を実施するための形態】
【０００８】
以下、実施形態の定期券処理システム、および発券機を、図面を参照して説明する。なお、以下の実施形態は、通学定期券を発行するものについて説明するが、通学定期券に限らず、例えば、障害者カードなどの証明書に基づいて通勤定期券よりも定期券代金を割引した定期券を発行するものであってもよい。
【０００９】
図１は、実施形態の定期券処理システム１の構成を示すブロック図である。実施形態の定期券処理システム１は、例えば、発券機１０と、発券管理サーバ２０と、情報管理サーバ３０と、教育機関端末４０とを備える。
【００１０】
発券機１０は、購入者の操作に基づいて定期券を発行する。発券機１０は、定期券を発行する際に、発券管理サーバ２０と通信を行い、発券管理サーバ２０により送信された定期券の区間を含む定期券情報をＩＣ（Integrated Circuit）カード５０に書き込む。
【００１１】
ＩＣカード５０は、例えば、樹脂等のカード基材にＩＣチップ（ＩＣモジュール）が埋め込まれた媒体である。ＩＣカード５０は、ＲＦＩＤ（Radio Frequency Identifier）技術によって、後述する発券機１０のリーダライタとの間で情報を送受信する。ＩＣカード５０は、例えば、通信部５２、記憶部５４、および制御部５６を備える。記憶部５４には、ＩＣカード５０を識別するための媒体識別情報ＩＤｉが記憶されている。制御部５６は、通信部５２によって受信されたコマンドに応答して、媒体識別情報ＩＤｉその他の情報を通信部５２に送信させたり、記憶部５４に定期券情報などの情報を書き込んだりする。
【００１２】
教育機関端末４０は、操作Ｉ／Ｆ、通信Ｉ／Ｆ、ＣＰＵ（Central Processing Unit）、および記憶装置などを有するコンピュータである。教育機関端末４０は、教育機関における管理者により操作され、個人番号ＰＮ、定期区間および有効期間が入力される。個人番号ＰＮは、個人を識別する個人識別情報である。定期区間とは、定期券の乗車駅、降車駅、および経由駅等の通学経路を特定する情報である。有効期間とは、例えば４月１日〜翌年３月３１日までのように、学生として定期券を購入することが有効な期間を定める情報である。
教育機関端末４０は、定期券の利用者ごとに、個人番号ＰＮ、定期区間および有効期間を情報管理サーバ３０に送信する。教育機関端末４０は、例えば、情報管理サーバ３０に情報を送信する際に、情報管理サーバ３０により提供されるウェブサイトにログインし、フォームデータを入力することによって上記の情報送信が可能となる。
【００１３】
情報管理サーバ３０は、例えば、通信部３２、ＣＰＵなどのプロセッサにより実現される制御部（第２の記憶制御部）３４、および第１の記憶部３６などを有する情報処理装置である。なお、制御部３４は、ＬＳＩやＡＳＩＣ、ＦＰＧＡなどのハードウェアによって実現されてもよい。情報管理サーバ３０の通信部３２は、教育機関端末４０により送信された情報を受信する。制御部３４は、第１の記憶部３６に、教育機関端末４０により送信された情報を記憶させる。
図２は、実施形態の第１の記憶部３６に記憶される情報を示す図である。第１の記憶部３６には、個人番号ＰＮと定期区間と有効期間とを対応づけて記憶される。
【００１４】
発券管理サーバ２０は、例えば、通信部２２、ＣＰＵ（Central Processing Unit）などのプロセッサにより実現される制御部（第１の記憶制御部）２４、および第２の記憶部２６を有する情報処理装置である。なお、制御部２４は、ＬＳＩ（Large Scale Integration）やＡＳＩＣ（Application Specific Integrated Circuit）、ＦＰＧＡ（Field-Programmable Gate Array）などのハードウェアによって実現されてもよい。発券管理サーバ２０の制御部２４は、情報管理サーバ３０の第１の記憶部３６に記憶された情報を通信部２２によって受信し、情報管理サーバ３０の第１の記憶部３６に記憶された情報とＩＣカード５０に記憶された媒体識別情報ＩＤｉとを対応づけて第２の記憶部２６に記憶させる。
図３は、実施形態の第２の記憶部２６に記憶される情報を示す図である。第２の記憶部２６には、媒体識別情報ＩＤｉに個人番号ＰＮと定期区間と有効期間とが対応づけられて記憶される。
【００１５】
実施形態の定期券処理システム１において、発券管理サーバ２０と情報管理サーバ３０は一つの情報処理装置に統合されてもよい。この場合、発券管理サーバ２０の制御部２４と、情報管理サーバ３０の制御部３４とは、同一の情報処理装置内において異なる機能を有するソフトウェア機能部となる。
また、実施形態の定期券処理システム１において、情報管理サーバ３０と発券機１０は通信可能であってもよい。
【００１６】
第２の記憶部２６は、定期券の購入状態を表すステータス情報を記憶してもよい。図４は、実施形態におけるステータス情報を示す図である。発券管理サーバ２０は、個人番号ＰＮまたは媒体識別情報ＩＤｉに対応するフラグ情報をＯＮまたはＯＦＦに切り替える。フラグ情報は、購入前フラグ、購入中フラグ、および購入後フラグが含まれる。
図４に示すステータス情報は一例であり、媒体識別情報ＩＤｉに対応した個人番号ＰＮに対応づけて第２の記憶部３６に記憶される。このステータス情報は、制御部２４によってフラグ情報が切り替えられる。また、ステータス情報は、第１の記憶部３６に記憶されてもよい。第１の記憶部３６にステータス情報が記憶される場合、制御部３４は、個人番号ＰＮに対応づけてステータス情報が記憶されていればよい。
【００１７】
図５は、実施形態の発券機１０の構成を示すブロック図である。発券機１０は、例えば、発券制御部１１と、通信部１２と、表示部１３と、操作部１４と、リーダライタ１５と、金銭処理部１６とを備える。
【００１８】
発券制御部１１は、発券機１０の動作を制御する。発券制御部１１は、例えば、ＣＰＵ等のプロセッサが、プログラムメモリに記憶されたプログラムを実行することで実現される。また、発券制御部１１は、ＬＳＩ（Large Scale Integration）やＡＳＩＣ（Application Specific Integrated Circuit）、ＦＰＧＡ（Field-Programmable Gate Array）等のハードウェアによって実現されてもよい。
【００１９】
通信部１２は、発券管理サーバ２０との間で通信を行う。通信部１２は、発券管理サーバ２０により送信された情報を受信し、受信した情報を発券制御部１１に出力する。また、通信部１２は、発券制御部１１により出力された情報を受信した場合に、受信した情報を発券管理サーバ２０送信する。発券機１０、発券管理サーバ２０、および情報管理サーバ３０の間の通信は、例えば、ＷＡＮ（Wide Area Network）やＬＡＮ（Local Area Network）などのネットワークを介して行われる。
【００２０】
表示部１３は、ＬＣＤ（Liquid Crystal Display）や有機ＥＬ（Electroluminescence）表示装置、プラズマディスプレイなどの表示装置である。表示部１３は、発券制御部１１により出力された画像データに基づいて、発券機１０の利用者が視認できるように定期券を購入するための各種の画面を表示する。なお、発券機１０は、購入者に情報を出力する手段として、表示部１３に限らず、音声を出力するスピーカ機構を備えていてもよい。
【００２１】
操作部１４は、定期券の購入者の操作を受け付ける操作Ｉ／Ｆである。操作部１４は、例えば、表示部１３に併設されたタッチパネル機構である。また、操作部１４は、機械式キーであってもよい。操作部１４は、購入者の操作を受け付けた場合に、操作内容を表す操作情報を発券制御部１１に出力する。タッチパネル機構は、操作部１４における表示画面に対する購入者のタッチ操作を受け付ける。タッチパネル機構は、タッチ操作を受け付けたことに応じて、タッチ操作の位置を示す操作情報を発券制御部１１に出力する。
【００２２】
リーダライタ１５は、アンテナ、および通信制御回路（不図示）などを備える。リーダライタ１５は、ＩＣカード５０と無線通信を行う。リーダライタ１５は、発券制御部１１の制御に従って、アンテナから読出コマンドを送信する。リーダライタ１５は、ＩＣカード５０に記憶された情報を受信して、受信した情報を発券制御部１１に出力する。また、リーダライタ１５は、発券制御部１１の制御に従って、発券制御部１１に指示された情報を含む書込コマンドを、アンテナからＩＣカード５０に送信する。これにより、リーダライタ１５は、ＩＣカード５０に情報を書き込む。
【００２３】
金銭処理部１６は、購入者から定期券の料金を収受するために設けられる。金銭処理部１６は、定期券によって投入された紙幣や硬貨をカウントし、定期券の代金を超過した場合には釣銭として紙幣や硬貨を購入者に返却する。また、金銭処理部１６は、ＩＣカード５０にチャージを行う場合に、投入された紙幣をカウントし、合計金額を電子マネーとして記憶部５４に記憶させる。
【００２４】
以下、実施形態の定期券処理システム１において、教育機関端末４０により送信された定期券情報を発券管理サーバ２０および情報管理サーバ３０に登録する処理を説明する。図６は、実施形態の定期券処理システム１により個人番号ＰＮ等を登録する処理の流れを示す図である。
【００２５】
教育機関端末４０は、登録要求を情報管理サーバ３０に送信する。教育機関端末４０は、登録要求に、個人番号ＰＮと定期区間および有効期間を付加する。登録要求、個人番号ＰＮと定期区間および有効期間は、情報管理サーバ３０により受信される。情報管理サーバ３０は、教育機関端末４０により送信された登録要求に従って、個人番号ＰＮ（第１の個人識別情報）に対応づけて定期区間および有効期間を第１の記憶部３６に記憶する（ステップＳ１００）。この処理の流れにおいて、情報管理サーバ３０の制御部３４は、個人番号ＰＮと定期区間および有効期間を対応づけて第１の記憶部３６に記憶させる第１の記憶制御部として機能する。
【００２６】
情報管理サーバ３０は、自装置に登録した個人番号ＰＮと定期区間および有効期間を登録する登録要求を発券管理サーバ２０に送信する。情報管理サーバ３０は、登録要求に、個人番号ＰＮと定期区間および有効期間を付加する。登録要求と、個人番号ＰＮと定期区間および有効期間は、発券管理サーバ２０により受信される。発券管理サーバ２０は、情報管理サーバ３０により送信された登録要求に従って、個人番号ＰＮに対応づけて定期区間および有効期間を記憶する（ステップＳ１０２）。
【００２７】
発券管理サーバ２０は、通信部２２により、個人番号ＰＮと定期区間および有効期間の記憶が完了したことを表す登録完了通知を情報管理サーバ３０に通知する。情報管理サーバ３０は、通信部３２により、個人番号ＰＮと定期区間および有効期間の記憶が完了したこと表す登録完了通知を教育機関端末４０に送信する。
【００２８】
以下、実施形態の定期券処理システム１において、利用者の操作に基づいて個人番号ＰＮおよび媒体識別情報ＩＤｉを登録する処理を説明する。図７は、実施形態の定期券処理システム１により個人番号ＰＮ等を登録する他の処理の流れを示す図である。なお、図７における「利用者操作」とは、利用者が発券機１０に対して行う操作であって定期券処理システム１の処理ではないが、図示した利用者の操作が行われたことが発券機１０により受け付けられるため記載している。
【００２９】
発券機１０は、利用者の操作によりＩＣカード５０が挿入されたことに応じて、リーダライタ１５により発券機１０が挿入されたことを検出する。リーダライタ１５は、ＩＣカード５０の記憶部５４に記憶されている媒体識別情報ＩＤｉを読み取り、記憶部（不図示）に記憶する（ステップＳ２００）。発券機１０は、例えば、表示部１３の表示画面に、「個人番号を入力してください」というメッセージ画像を表示させることで、個人番号ＰＮの入力を要求する情報を出力する（ステップＳ２０２）。この処理の流れにおいて、表示部１３は、情報を出力する出力部として機能する。発券機１０は、操作部１４に利用者が個人番号ＰＮ（第２の個人識別情報）を入力することにより、利用者の操作を受け付ける（ステップＳ２０４）。この処理の流れにおいて、操作部１４は、定期券の購入者の操作を受け付ける受付部として機能する。
【００３０】
発券機１０は、リーダライタ１５により読み取った媒体識別情報ＩＤｉと、入力された個人番号ＰＮとを紐づけて記憶する（ステップＳ２０６）。発券機１０は、紐づけられた媒体識別情報ＩＤｉおよび個人番号ＰＮの照会を要求する照会要求を発券管理サーバ２０に送信する。通信部１２は、照会要求に、照会の対象となる媒体識別情報ＩＤｉおよび個人番号ＰＮを付加して、発券管理サーバ２０に送信する。
【００３１】
発券管理サーバ２０の制御部２４は、発券機１０により送信された照会要求を通信部２２により受信したことに応じ、照会要求に付加された個人番号ＰＮが第２の記憶部２６に記憶された個人番号ＰＮのいずれかと合致したか否かを判定する（ステップＳ２０８）。制御部２４は、照会要求に付加された個人番号ＰＮが第２の記憶部２６に記憶された個人番号ＰＮのいずれかに合致する場合には、照会要求に付加された媒体識別情報ＩＤｉを合致した個人番号ＰＮに対応して第２の記憶部２２に記憶させることで、媒体識別情報ＩＤｉおよび個人番号ＰＮを登録する（ステップＳ２１０）。これにより、制御部２４は、合致した個人番号ＰＮ、リーダライタ１５により読み取られた媒体識別情報ＩＤｉ、および第１の記憶部３６においてリーダライタ１５により読み取られた媒体識別情報ＩＤｉに対応づけられている定期区間および有効期間を対応づけて第２の記憶部２６に記憶させる。一方、制御部２４は、照会要求に付加された個人番号ＰＮが第２の記憶部２６に記憶された個人番号ＰＮに合致しない場合には処理を終了する。
【００３２】
発券管理サーバ２０は、通信部２２により、個人番号ＰＮに対応づけて媒体識別情報ＩＤｉの登録が完了したことを表す登録完了通知を発券機１０に送信する。発券機１０は、登録完了通知を受信したことに応じて、ＩＣカード５０を排出する（ステップＳ２１２）。
【００３３】
以下、実施形態の定期券処理システム１において、定期券を発行する処理を説明する。図８は、実施形態の定期券処理システム１により定期券を発行する処理の流れを示す図である。
【００３４】
発券機１０は、利用者の操作によりＩＣカード５０が挿入されたことに応じて、表示部１３に購入画面を表示させる（ステップＳ３００）。図９は、実施形態の発券機１０により表示させる画面の遷移の一例を示す図である。発券機１０は、購入画面１３０−１に、チャージボタン１３１、および定期券購入ボタン１３２を表示させる。発券機１０は、定期券購入ボタン１３２を選択する操作を操作部１４により受け付けたことに応じて、購入画面１３０−２を表示させる。発券機１０は、購入画面１３０−２に、通勤定期券購入ボタン１３３、および通学定期券購入ボタン１３４を表示させる。発券機１０は、通学定期券購入ボタン１３４を選択する操作を操作部１４により受け付けたことに応じて、リーダライタ１５によりＩＣカード５０の記憶部５４に記憶された媒体識別情報ＩＤｉを読み出させる（ステップＳ３０２）。発券機１０は、媒体識別情報ＩＤｉの照会を要求する照会要求を発券管理サーバ２０に送信させる。通信部１２は、照会要求に、照会の対象となる媒体識別情報ＩＤｉを付加して、発券管理サーバ２０に送信する。
【００３５】
発券管理サーバ２０の制御部２４は、通信部２２により発券機１０により送信された照会要求を受信したことに応じて、媒体識別情報ＩＤｉが登録されているか否かを判定する（ステップＳ３０４）。制御部２４は、第２の記憶部２６に記憶された媒体識別情報ＩＤｉのいずれかが、照会要求に付加された媒体識別情報ＩＤｉと合致するか否かを判定する。制御部２４は、第２の記憶部２６に記憶された媒体識別情報ＩＤｉのいずれかが、照会要求に付加された媒体識別情報ＩＤｉと合致する場合、媒体識別情報ＩＤｉが登録されていると判定してステップＳ３１２に処理を進める。
【００３６】
制御部２４は、媒体識別情報ＩＤｉに対応して記憶された定期区間および有効期間を第２の記憶部２６から読み出す（ステップＳ３１２）。制御部２４は、通信部２２により、定期区間および有効期間を通知することを表す情報通知を発券機１０に送信させる。発券管理サーバ２０は、情報通知に、読み出した定期区間および有効期間を付加する。発券機１０は、発券管理サーバ２０により送信された情報通知を受信したことに応じて、購入確認画面１３０−３を表示させる（ステップＳ３１４）。発券機１０は、購入確認画面１３０−３に、定期区間と、有効期間内の定期購入期間と、購入を了承させるためのＯＫボタン１３５とを表示させる。有効期間内の定期購入期間は、定期購入期間の開始日入力欄と、１か月、３か月、６か月等の期間選択欄と、を表示するようにしてもよい。
【００３７】
発券機１０は、ＯＫボタン１３５を選択する操作、および定期券料金を入金する操作を受け付けたことに応じて情報通知に付加された定期区間と、有効期間内の定期購入期間をＩＣカード５０に書き込む（ステップＳ３１４）。発券機１０は、ＩＣカード５０への定期区間と、有効期間内の定期購入期間の書き込みが完了したことに応じて、定期券の購入が完了したことを表す購入済通知を発券管理サーバ２０に送信する（ステップＳ３１６）。発券機１０は、購入済通知に、ステップＳ３０４において登録があることが判定された媒体識別情報ＩＤｉまたは後述のステップＳ３１０において照会された媒体識別情報ＩＤｉを付加する。
【００３８】
発券機１０は、発券管理サーバ２０へ購入済通知を送信する際、購入済通知に付加された媒体識別情報ＩＤｉに対応する個人番号ＰＮを読み出して定期券の購入を登録することを要求する購入済登録要求を付加する。発券管理サーバ２０は、発券機１０により送信された購入済登録要求を受信したことに応じて、購入済通知に付加された個人番号ＰＮに対応したステータス情報を更新する（ステップＳ３１８）。発券管理サーバ２０は、購入済通知に付加された個人番号ＰＮに対応した購入後フラグをＯＮに変更する。これにより、制御部２４は、発券機１０により定期券が発行された場合に、定期券を発行する際にリーダライタ１５により読み取られ、第２の記憶部２６に登録された媒体識別情報ＩＤｉのいずれかと合致したと判定された媒体識別情報ＩＤｉに対応づけられている個人番号ＰＮに対応づけて、ステータス情報を更新する。
あるいは、発券管理サーバ２０は、発券機１０により送信された購入済通知を受信したことに応じて購入済通知を情報管理サーバ３０に送信する。発券管理サーバ２０は、購入済通知に付加された媒体識別情報ＩＤｉに対応する個人番号ＰＮを読み出して定期券の購入を登録することを要求する購入済登録要求を付加する。発券管理サーバ２０は、購入済登録要求を情報管理サーバ３０に送信する。情報管理サーバ３０は、発券管理サーバ２０により送信された購入済登録要求を受信したことに応じて、購入済通知に付加された個人番号ＰＮに対応したステータス情報を更新する。情報管理サーバ３０は、購入済通知に付加された個人番号ＰＮに対応した購入後フラグをＯＮに変更する。これにより、制御部３４は、発券機１０により定期券が発行された場合に、第１の記憶部３６において、個人番号ＰＮの入力を要求したことに応じて入力され、第１の記憶部３６に記憶された個人番号ＰＮのいずれかと合致した個人番号ＰＮに対応づけて、ステータス情報を更新する。
【００３９】
発券管理サーバ２０は、ステータス情報を更新したことに応じて、登録完了通知を発券機１０に送信する。発券管理サーバ２０は、個人番号ＰＮと、個人番号ＰＮに対応した媒体識別情報ＩＤｉを読み出し、読み出した媒体識別情報ＩＤｉを付加した登録完了通知を発券機１０に送信する。
あるいは、情報管理サーバ３０は、ステータス情報を更新したことに応じて、登録完了通知を発券管理サーバ２０に送信する。情報管理サーバ３０は、登録完了通知に、個人番号ＰＮを付加する。発券管理サーバ２０は、登録完了通知を受信したことに応じて、個人番号ＰＮに対応した媒体識別情報ＩＤｉを読み出し、読み出した媒体識別情報ＩＤｉを付加した登録完了通知を発券機１０に送信する。なお、発券管理サーバ２０は、情報管理サーバ３０により送信された登録完了通知を受信したこと応じて、登録完了通知に付加された個人番号ＰＮに対応するステータス情報を更新してもよい。
【００４０】
発券機１０は、発券管理サーバ２０により送信された登録完了通知を受信したことに応じて、ＩＣカード５０を排出する（ステップＳ３２０）。これにより、発券機１０は、通学定期券を発行して、購入者に通学定期券を受け取らせる。
【００４１】
以上のように、発券機１０は、リーダライタ１５によりＩＣカード５０から読み取られた媒体識別情報ＩＤｉが発券管理サーバ２０の第２の記憶部２６に記憶されている媒体識別情報ＩＤｉと合致した場合に、個人番号ＰＮの入力を要求する情報を表示部１３に出力させずに、照合された媒体識別情報ＩＤｉに対応して第２の記憶部２６に記憶された定期区間と、有効期間内の定期購入期間をＩＣカード５０に書き込む。
【００４２】
次に、ステップＳ３０４において制御部２４により照会要求に付加された媒体識別情報ＩＤｉと合致する媒体識別情報ＩＤｉが記憶されていないと判定した場合の処理について説明する。制御部２４は、照会要求に付加された媒体識別情報ＩＤｉと合致する媒体識別情報ＩＤｉが第２の記憶部２６に記憶されていないと判定した場合、通信部２２により、媒体識別情報ＩＤｉを登録することを要求することを表す登録要求を発券機１０に送信させる。制御部２４は、登録要求に、照会要求に付加された媒体識別情報ＩＤｉを付加する。
【００４３】
発券機１０は、登録要求を受信したことに応じて、番号入力画面１３０−１０を表示部１３に表示させる（ステップＳ３０６）。図１０は、実施形態の発券機１０の表示部１３により表示させる画面の遷移の他の一例を示す図である。発券機１０は、購入画面１３０−１０に、「個人番号を入力してください」というメッセージ画像、および入力欄１３６を表示部１３に表示させる。発券機１０は、入力欄１３６に個人番号ＰＮを入力する操作を操作部１４により受け付けたことに応じて、ステップＳ３０２においてリーダライタ１５により読み取った媒体識別情報ＩＤｉと、入力された個人番号ＰＮとを紐づけて記憶する（ステップＳ３０８）。発券機１０は、紐づけられた媒体識別情報ＩＤｉおよび個人番号ＰＮの照会を要求する照会要求を発券管理サーバ２０に送信する。通信部１２は、照会要求に、照会の対象となる媒体識別情報ＩＤｉおよび個人番号ＰＮを付加して、発券管理サーバ２０に送信する。
【００４４】
発券管理サーバ２０の制御部２４は、発券機１０により送信された照会要求を受信したことに応じ、照会要求に付加された個人番号ＰＮが第２の記憶部２６に記憶された個人番号ＰＮのいずれかに合致するか否かを判定する（ステップＳ３１０）。制御部２４は、照会要求に付加された個人番号ＰＮが第２の記憶部２６に記憶された個人番号ＰＮのいずれかに合致すると判定した場合には、リーダライタ１５により読み取られた媒体識別情報ＩＤｉを、合致した個人番号ＰＮおよび第１の記憶部３６において個人番号ＰＮに対応づけられている定期区間および有効期間に対応づけて第２の記憶部２６に記憶させる（ステップＳ３１１）。一方、制御部２４は、照会要求に付加された個人番号ＰＮが第２の記憶部２６に記憶された個人番号ＰＮのいずれかに合致しない場合には処理を終了する。
【００４５】
なお、この処理の流れにおいて、発券機１０が個人番号ＰＮの入力を要求したことに対して操作部１４により受け付けられた個人番号ＰＮが第２の記憶部２６に記憶された個人番号ＰＮのいずれかに合致するか否かを判定する処理は制御部２４により行ったが、これに限られない。発券機１０が個人番号ＰＮの入力を要求したことに対して操作部１４により受け付けられた個人番号ＰＮを、第２の記憶部２６に記憶された個人番号ＰＮのいずれかと合致することを、発券機１０の発券制御部１１によって行ってもよく、情報管理サーバ３０の制御部３４によって行ってもよい。
【００４６】
発券管理サーバ２０は、個人番号ＰＮに対応づけて媒体識別情報ＩＤｉの登録が完了したこと表す登録完了通知を発券機１０に送信して、ステップＳ３１２に処理を進める。発券管理サーバ２０は、ステップＳ３１１において登録された個人番号ＰＮおよび媒体識別情報ＩＤｉに対応して記憶された定期区間および有効期間を第２の記憶部２６から読み出して（ステップＳ３１２）、以降の処理を行う。
【００４７】
以上のように、発券機１０は、ＩＣカード５０から読み取られた媒体識別情報ＩＤｉが第２の記憶部２２に登録されている媒体識別情報ＩＤｉと合致しない場合に、個人番号ＰＮの入力を要求する情報を出力させ、操作部１４により受け付けられた個人番号ＰＮが発券管理サーバ２０に記憶されている場合に、定期券を発行する。
【００４８】
以下、上述した実施形態の定期券処理システム１において、ステータス情報が「購入中」または「購入済」である場合に、定期券の発行を中止する処理について説明する。図１１は、実施形態の定期券処理システム１において定期券の発行を中止する処理の流れを示すフローチャートである。図１２は、実施形態の発券機１０により表示させる画面の遷移の他の一例を示す図である。なお、以下の説明においては、ステータス情報が発券管理サーバ２０に記憶され、発券管理サーバ２０によって定期券の発行を中止する処理を行うことを説明するが、ステータス情報が情報管理サーバ３０に記憶されていて情報管理サーバ３０が定期券の発行を中止する処理を行ってもよい。
【００４９】
発券管理サーバ２０は、媒体識別情報ＩＤｉおよび個人番号ＰＮに対応づけて記憶されたステータス情報を第２の記憶部２６から読み出す（ステップＳ４００）。発券管理サーバ２０は、例えば、ステップＳ３０４において肯定判定がされた後またはステップＳ３１１において媒体識別情報ＩＤｉおよび個人番号ＰＮを登録した後、且つステップＳ３１２において定期区間および有効期間を読み出す前に、ステータス情報を読み出す。
【００５０】
発券管理サーバ２０は、ステップＳ４００において読み出したステータス情報の購入中フラグまたは購入後フラグの値がＯＮであるか否かを判定する（ステップＳ４０２）。発券管理サーバ２０は、購入中フラグまたは購入後フラグの値がＯＮである場合には、待機画面を表示させる要求を発券機１０に送信する。発券機１０は、待機画面を表示させる要求を受信したことに応じて、例えば、「お待ちください」というメッセージ画像を含む待機画面１３０−２０を表示部１３に表示させる（ステップＳ４０４）。
【００５１】
発券管理サーバ２０は、ステップＳ４０４において待機画面１３０−２０を表示させた後の経過時間が所定時間を超えたか否かを判定する（ステップＳ４０６）。発券管理サーバ２０は、経過時間が所定時間を超えたと判定した場合、または購入後フラグがＯＮであると判定した場合に、定期券購入を中止させる画面を表示させる要求を発券機１０に送信する。発券機１０は、定期券購入を中止させる画面を表示させる要求を受信したことに応じて、例えば、「通学定期券は購入できません」というメッセージ画像、およびＯＫボタン１３７を含む中止画面１３０−２１を表示部１３に表示させる（ステップＳ４０８）。
【００５２】
上記実施形態では、発券制御部１１、発券管理サーバ２０、情報管理サーバ３０、および教育機関端末４０の機能はソフトウェア機能部であるものとしたが、ＬＳＩ等のハードウェア機能部であってもよい。
【００５３】
以上説明した少なくともひとつの実施形態によれば、定期券を発行する際に、リーダライタ１５によりリーダライタ１５から読み取られた媒体識別情報ＩＤｉが第２の記憶部２６に記憶された媒体識別情報ＩＤｉのいずれとも合致しない場合に、個人番号ＰＮの入力を要求する情報を表示部１３に出力させ、操作部１４により受け付けられた個人番号ＰＮが第２の記憶部２６に記憶された個人番号ＰＮのいずれかと合致した場合に、第２の記憶部２６において、合致した個人番号ＰＮに対応づけられている定期区間および有効期間をＩＣカード５０に書き込むようにリーダライタ１５を制御し、リーダライタ１５によりＩＣカード５０から読み取られた媒体識別情報ＩＤｉが第２の記憶部２６に記憶されている媒体識別情報ＩＤｉのいずれかと合致した場合に、個人番号ＰＮの入力を要求する情報を表示部１３に出力させずに、第２の記憶部２６において、合致した媒体識別情報ＩＤｉに対応づけられている定期区間と、有効期間内の定期購入期間をＩＣカード５０に書き込むようにリーダライタ１５を制御する発券制御部１１を持つことにより、購入する際に証明が必要であった定期券を簡便に発行することができる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１…定期券処理システム、１０…発券機、１１…発券制御部、１２…通信部、１３…表示部、１４…操作部、１５…リーダライタ、１６…金銭処理部、２０…発券管理サーバ、２２…通信部、２４…制御部、２６…第２の記憶部、３０…情報管理サーバ、３２…通信部、３４…制御部、３６…第１の記憶部、４０…教育機関端末、５０…ＩＣカード、５２…通信部、５４…記憶部、５６…制御部
【図１】
0006685672.tif 000002
【図２】
0006685672.tif 000003
【図３】
0006685672.tif 000004
【図４】
0006685672.tif 000005
【図５】
0006685672.tif 000006
【図６】
0006685672.tif 000007
【図７】
0006685672.tif 000008
【図８】
0006685672.tif 000009
【図９】
0006685672.tif 000010
【図１０】
0006685672.tif 000011
【図１１】
0006685672.tif 000012
【図１２】
0006685672.tif 000013